(57)【要約】【課題】吸収体の変形が生じにくく抗菌効果の向上が可能な吸収性物品に関する。【解決手段】吸収性物品は、表面シートと、裏面シートと、吸収体とを具備する。上記吸収性物品は、着用者の前後方向に対応する縦方向及び前記縦方向に直交する横方向を有する。上記吸収体は、上記表面シートと上記記裏面シートの間に配置され、抗菌剤を含む。上記吸収体は、複数の変形契機部と、圧搾領域とを有する。上記変形契機部は、縦方向における中間領域に、上記吸収体を前記横方向に二分する上記縦方向に延びる中心線を介して両側それぞれに上記縦方向に線状に延びて位置する。上記圧搾領域は、縦方向における前端部又は後端部の少なくとも一方の上記中心線を含む上記横方向中央部に、厚み方向に圧搾されて形成される。上記中間領域における、上記中心線に最も近く位置する一対の状記変形契機部で挟まれた領域は、上記抗菌剤を含むとともに、上記圧搾領域と横方向に少なくとも一部が重なっている。【選択図】図３
2020188934.tif 000002
【特許請求の範囲】
【請求項１】
表面シートと、裏面シートと、前記表面シートと前記裏面シートの間に配置された抗菌剤を含む吸収体と、を具備し、着用者の前後方向に対応する縦方向及び前記縦方向に直交する横方向を有する吸収性物品であって、
前記吸収体は、
前記縦方向における中間領域に、前記吸収体を前記横方向に二分する前記縦方向に延びる中心線を介して両側に前記縦方向に線状に延びて位置する複数の変形契機部と、
前記縦方向における前端部又は後端部の少なくとも一方の前記中心線を含む前記横方向中央部に、厚み方向に圧搾されて形成される圧搾領域と、を有し、
前記中間領域における、前記中心線に最も近く位置する一対の前記変形契機部で挟まれた領域は、前記抗菌剤を含むとともに、前記圧搾領域と前記横方向に少なくとも一部が重なっている
吸収性物品。
【請求項２】
前記吸収体は、前記吸収性物品の着用時に着用者の肌面側に位置する肌対向面を有する吸収性コアと、前記吸収性コアの少なくとも前記肌対向面を覆うコアラップシートとを備え、
前記コアラップシートは前記抗菌剤を含む
請求項１に記載の吸収性物品。
【請求項３】
前記吸収体における前記抗菌剤の単位面積あたりの含有量は、前記吸収体の前記横方向における両側方部より中央部の方が多い
請求項１又は請求項２に記載の吸収性物品。
【請求項４】
前記変形契機部は、前記吸収体を厚み方向に圧搾して形成される防漏溝を含み、
前記圧搾領域の前記横方向の長さは、前記中間領域に前記中心線を介して両側に位置する前記防漏溝間の前記横方向の間隔が最も狭くなる最狭部の長さ以上、最も広くなる最広部の長さ以下である
請求項１〜請求項３のいずれか１項に記載の吸収性物品。
【請求項５】
前記吸収性物品は、前記縦方向における中間領域に前記吸収体より前記横方向外方の両側に延出する一対のウイング部を有し、
前記吸収体は、前記一対のウイング部間に、高坪量部と、前記高坪量部を介して前記横方向両側に位置する前記高坪量部より低坪量の低坪量部とを有し、
前記変形契機部は、前記高坪量部の前記横方向における一対の側縁部を含み、
前記圧搾領域の前記横方向の長さは、一対の前記側縁部間の横方向における最大長さ以上である
請求項１〜請求項３のいずれか１項に記載の吸収性物品。
【請求項６】
前記吸収体は、前記高坪量部を間に介して前記横方向外側に前記吸収体を厚み方向に圧搾して形成される一対の防漏溝を有する
請求項５に記載の吸収性物品。
【請求項７】
前記吸収体は、前記前端部及び前記後端部それぞれに前記圧搾領域を有し、
前記前端部に位置する圧搾領域は、前記後端部に位置する圧搾領域よりも前記縦方向における長さが長い
請求項１〜請求項６のいずれか１項に記載の吸収性物品。
【発明の詳細な説明】
【技術分野】
【０００１】
本発明は、抗菌剤を含む生理用ナプキン等の吸収性物品に関する。
【背景技術】
【０００２】
抗菌剤等の機能性材料を含む生理用ナプキン等の吸収性物品が知られている（例えば特許文献１）。特許文献１に記載される吸収性物品は、表面シートと裏面シートとの間に、抗菌剤が含浸されている被覆シートに包まれた吸収層が配置された構成を有する。吸収性物品の着用時、表面シートは着用者の肌面側に位置する。吸収層は、表面シートを透過した着用者の血液等の排泄物を吸収する。
【先行技術文献】
【特許文献】
【０００３】
【特許文献１】特開２０１６−６７７４９号公報
【発明の概要】
【発明が解決しようとする課題】
【０００４】
吸収性物品の着用時、着用者の動き等によって吸収層に好ましくない変形が生じると液状の排泄物の漏れが生じ、また、吸収層によって効率よく排泄物が吸収されず、抗菌剤による抗菌効果が発揮されない。
【０００５】
本発明の課題は、吸収体の変形が生じにくく抗菌効果の向上が可能な吸収性物品に関する。
【課題を解決するための手段】
【０００６】
本発明の一形態に係る吸収性物品は、表面シートと、裏面シートと、吸収体とを具備する。
上記吸収性物品は、着用者の前後方向に対応する縦方向及び前記縦方向に直交する横方向を有する。
上記吸収体は、上記表面シートと上記記裏面シートの間に配置され、抗菌剤を含む。
上記吸収体は、複数の変形契機部と、圧搾領域とを有する。
複数の上記変形契機部は、上記縦方向における中間領域に、上記吸収体を前記横方向に二分する上記縦方向に延びる中心線を介して両側に上記縦方向に線状に延びて位置する。
上記圧搾領域は、上記縦方向における前端部又は後端部の少なくとも一方の上記中心線を含む上記横方向中央部に、厚み方向に圧搾されて形成される。
上記中間領域における、上記中心線に最も近く位置する一対の上記変形契機部で挟まれた領域は、上記抗菌剤を含むとともに、上記圧搾領域と上記横方向に少なくとも一部が重なっている。
【発明の効果】
【０００７】
以上のように、本発明の吸収性物品によれば、抗菌性能の効果的な作用を実現しうる。
【図面の簡単な説明】
【０００８】
【図１】本発明の第１の実施形態に係る吸収性物品を示す平面図である。
【図２】図１のＩＩ−ＩＩ線で切断した吸収性物品の断面図である。
【図３】第１の実施形態の吸収性物品の吸収体を示す平面図であり、着用時に着用者の排泄部が対向する領域よりも腹側となる方を前方、排泄部が対向する領域よりも背側となる方を後方として図示している。
【図４】第１の実施形態の吸収性物品に形成される第１の防漏溝及び第２の防漏溝の形状を説明するための平面図である。
【図５】本発明の第２の実施形態に係る吸収性物品を示す平面図である。
【図６】図５のＶＩ−ＶＩ線で切断した吸収性物品の断面図である。
【図７】第２実施形態の吸収体の一部を構成する吸収性コアの平面図である。
【図８】第２の実施形態の吸収性物品の吸収体を示す平面図であり、着用時に着用者の排泄部が対向する領域よりも腹側となる方を前方、排泄部が対向する領域よりも背側となる方を後方として図示している。
【発明を実施するための形態】
【０００９】
以下、図面を参照しながら、本発明の実施形態を説明する。
＜第１実施形態＞
［ナプキンの全体構成］
本発明の第１実施形態の吸収性物品１は、図１に示すように、本体Ｍと、一対のウイング部Ｗと、を備える。吸収性物品１は、生理用ナプキンとして構成され、以下、ナプキン１と称する。ナプキン１は、後述する粘着部１５によって、着用者の着衣に固定されることが可能に構成される。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。
【００１０】
図１に示すように、ナプキン１は、縦方向に順に位置する前方領域Ｍ１と、中間領域Ｍ２と、後方領域Ｍ３とを有する。中間領域Ｍ２は、着用時に着用者の排泄部に主に対向する排泄部対向領域である。生理用ナプキンにおいて、排泄部とは膣口のことである。前方領域Ｍ１は、着用時に着用者の排泄部より腹側に位置する領域である。後方領域Ｍ３は、着用時に着用者の排泄部より背側に位置する領域である。
【００１１】
本体Ｍは、縦方向Ｘに沿って延び、着用時に着用者の着衣の内面に固定される。本体Ｍは、後述する吸収体１０を有しており、着用者の経血等の液状の排泄物を吸収する機能を有する。
一対のウイング部Ｗは、中間領域Ｍ２において、本体Ｍを挟んで幅方向に互いに対向し、幅方向の外側に大きく突出するように構成される。
ウイング部Ｗは、装着時に下着を挟んで本体Ｍと対向するように折り曲げられ、装着者の下着の外面に固定される。ウイング部Ｗは、装着中におけるナプキン１の位置ずれを防止し、ナプキン１外部への排泄物の漏れを防止する。なお、ウイング部Ｗを備える生理用ナプキンにおいては、ウイング部Ｗの前後付け根部分で挟まれた縦方向Ｘの領域が中間領域Ｍ２であることが望ましい。
第１の防漏溝１８及び第２の防漏溝１９は、本体Ｍの後述する表面シート１２側に形成された圧搾溝である。第１の防漏溝１８及び第２の防漏溝１９の構成については、後述する。
【００１２】
図２に示すように、ナプキン１は、吸収体１０と、表面シート１２と、裏面シート１３と、一対のサイドシート１４と、粘着部１５と、を備える。本体Ｍにおいて、ナプキン１は、裏面シート１３、吸収体１０及び表面シート１２が厚み方向Ｚに積層された構成を有する。これらの構成は、例えば、接着剤やヒートシール等による接合、及び第１の防漏溝１８及び第２の防漏溝１９による圧搾加工等によって、適宜接合されて一体化される。
【００１３】
吸収体１０は、縦方向Ｘに沿って延び、表面シート１２と裏面シート１３との間に配置される。吸収体１０は、排泄物を表面シート１２側の面から吸収し、内部で拡散させて当該排泄物を保持する。吸収体１０の構成については後述する。
【００１４】
表面シート１２は、液透過性のシート材として構成され、吸収体１０の厚み方向Ｚ上方に配置される。
表面シート１２は、例えば、上方に突出する複数の凸部１２ａを有する。凸部１２ａは、内部にも繊維が分布する中実な構成でもよいし、内部に繊維がほとんど存在しない中空な構成でもよい。凸部１２ａにより、着用時に着用者の肌と表面シート１２との接触面積を低減させることができ、通気性を高め、不快感を軽減させることができる。
【００１５】
裏面シート１３は、吸収体１０の厚み方向Ｚ下方に配置される。裏面シート１３は、例えば周縁部において、表面シート１２及びサイドシート１４と接着剤、熱シール等によって接合される。裏面シート１３は、接着剤等によって吸収体１０に接合されていてもよい。
裏面シート１３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１６】
一対のサイドシート１４は、ナプキン１の横方向Ｙ周縁に配置され、表面シート１２を挟んで横方向Ｙに相互に対向する。サイドシート１４は、横方向Ｙ内方において接着剤等により表面シート１２に接合される。サイドシート１４の材料としては、表面シート１２よりも親水性が小さいシート材料が好ましく、具体的には、表面シートよりも親水性の低い不織布、フィルム材料、及び不織布とフィルム材料のラミネート構造のシートが挙げられる。
【００１７】
粘着部１５は、裏面シート１３の外面に設けられ、ナプキン１を着衣に対して固定させるずれ止め材としての機能を有する。
粘着部１５は、例えば、裏面シート１３に所定のパターンで粘着剤を塗工することにより形成される。粘着部１５に用いられる粘着剤として、好ましくは、ゴム系、オレフィン系、エチレン酢酸ビニル（ＥＶＡ）系等のホットメルト粘着剤が用いられる。
本実施形態において、粘着部１５は、本体Ｍ及びウイング部Ｗの裏面シート１３に設けられる。
【００１８】
［吸収体の構成］
図３に示すように、吸収体１０は、前端部１０ａ及び後端部１０ｂを有し、前端部１０ａから後端部１０ｂに向かって縦方向Ｘに延びる。前端部１０ａは前方領域Ｍ１内に位置し、後端部１０ｂは後方領域Ｍ３内に位置している。
図２に示すように、吸収体１０は、表面シート１２と裏面シート１３との間に配置される。吸収体１０は、肌対向面において表面シート１２とホットメルト接着剤等の接着剤（図示せず）により接着されている。
吸収体１０は、吸収性コア６と、コアラップシート７と、を有する。少なくとも中間領域Ｍ２における横方向Ｙの中央部では吸収体１０には抗菌剤が含まれる。抗菌剤は、吸収性コア６とコアラップシート７の少なくとも一方に含まれる。本実施形態では、コアラップシート７に抗菌剤が含有される例をあげる。
【００１９】
（吸収性コアの構成）
吸収性コア６は、例えば、パルプ繊維等の親水性繊維で構成された繊維集合体で形成されてもよいし、当該繊維集合体に吸水性ポリマーを保持させた構成を有していてもよい。これにより、吸収性コア６の液保持力を高めることができる。吸収性コア６は、着用者の肌面側に位置する肌対向面６ａと、着用者の着衣側に位置する非肌対向面６ｂとを有する。
【００２０】
（コアラップシートの構成）
コアラップシート７は、吸収性コア６を被覆する。コアラップシート７は、吸収性コア６の少なくとも肌対向面６ａを覆うように位置すればよい。本実施形態では、１枚のコアラップシート７で吸収性コア６全体を覆い、コアラップシート７により肌対向面６ａ及び非肌対向面６ｂの双方が覆われている。
コアラップシート７は例えば矩形状を有し、図２に示すように、吸収性コア６を覆ったときに対向する一対の対向する端部が互いに重なりあって非肌対向面６ｂ側に位置するように配置される。非肌対向面６ｂ側でコアラップシート７が２枚重なる領域は、縦方向Ｘに延在し、吸収体１０の横方向Ｙの中央部６１に位置する。
尚、ここでは、コアラップシート７が２枚重なった部分は肌対向面６ａ側に位置する例をあげたが、非肌対向面６ｂ側に位置してもよい。
【００２１】
コアラップシート７は、典型的には、親水性繊維を主体とする不織布、紙などのシート状物である。コアラップシート７に含まれる親水性繊維としては、針葉樹パルプや広葉樹パルプ等の木材パルプ、綿パルプや麻パルプ等の非木材パルプ等の天然繊維；カチオン化パルプ、マーセル化パルプ等の変性パルプ；キュプラ、レーヨン等の再生繊維；アセテート等の半合成繊維；ポリビニルアルコール繊維、ポリアクリロニトリル繊維等の親水性合成繊維；ポリエチレンテレフタレート繊維、ポリエチレン繊維、ポリプロピレン繊維、ポリエステル繊維等の合成繊維に親水化処理を施した繊維等が挙げられ、これらの１種を単独で又は２種以上を混合して用いることができる。コアラップシート７における親水性繊維の典型的なものは、天然繊維、セルロース系の再生繊維又は半合成繊維である。コアラップシート７は、親水性繊維に加えてさらに、合成繊維（疎水性繊維）、例えば熱可塑性繊維を含んでもよい。熱可塑性繊維としては、例えばポリエチレン、ポリプロピレン、ポリエステル、ポリウレタン等の単一の合成樹脂を用いて形成された単一繊維、あるいは、これら２種以上の複合体等の合成樹脂を用いて形成された複合繊維、例えば、２種以上の合成樹脂を用いて形成した芯鞘型、サイドバイサイド型等の複合繊維を用いることもできる。
【００２２】
少なくとも中間領域Ｍ２における横方向Ｙの中央部６１において、コアラップシート７には抗菌剤が含まれている。抗菌剤をコアラップシート７に含有させることにより、悪臭の主な発生原因である吸収性コア６の内部での菌の繁殖を効果的に防止することができる。
本実施形態では、コアラップシート７の全体に抗菌剤が配されている。抗菌剤は少なくとも吸収性コア６の肌対向面６ａを覆う領域に抗菌剤が配されていると、コアラップシート７を厚み方向に移動した排泄物に抗菌剤が溶解又は分散し、その抗菌剤を含む排泄物が吸収性コア６の内部に吸収されて抗菌作用を発現し得るため、好ましい。
【００２３】
抗菌剤には既知のものを用いることができる。抗菌剤としては、有機性の抗菌剤を用いることが好ましい。有機性の抗菌剤は、排泄物中の匂い発生原因物質が有機性である場合、匂い発生原因物質との良好な親和性から高い抗菌・消臭性が気体できる。有機性の匂い原因物質や菌との親和性の観点から、有機性のカチオン性抗菌剤が特に好ましい。カチオン性抗菌剤は、悪臭産生の制御として強い腐敗臭の発生を抑えることができる。
【００２４】
カチオン性抗菌剤は、有機化合物系の抗菌剤で、銀、亜鉛、銅等の金属イオン系よりも尿等の排泄物への溶出が多く抗菌作用が広範囲である。特に、ジデシルジメチルアンモニウム塩、アルキルピリジニウム塩、ベンゼトニウム塩、ベンザルコニウム塩、モノアルキルトリメチルアンモニウム塩、ジアルキルジメチルアンモニウム塩等の第四級アンモニウム塩が挙げられ、これらからなる群から選ばれる少なくとも１種を含有することが好ましい。これらのカチオン性抗菌剤は１種を単独で用いても良く、２種以上を組み合わせても良い。
【００２５】
本実施形態において、コアラップシート７には面内均一に抗菌剤が含有されている。
コアラップシートにおける抗菌剤の単位面積当たりの含有量は、抗菌剤の種類等に応じて適宜に決定することができるが、好ましくは０．０３ｇ／ｍ２以上、より好ましくは０．０５ｇ／ｍ２以上、そして、好ましくは０．２５ｇ／ｍ２以下、より好ましくは０．２０ｇ／ｍ２以下である。
【００２６】
カチオン性抗菌剤を用いる場合には、コアラップシートの単位面積当たりの含有量の測定は次の方法によって行うことができる。
まず、市販の製品等を分析する場合は、ドライヤーやコールドスプレー等を用いて、各部材を剥がし、測定対象のコアラップシートを得る。その後、コアラップシート中のカチオン性抗菌剤の含有量を、液体クロマトグラフ／質量分析計（アジレント・テクノロジー株式会社製６１４０  ＬＣ／ＭＳ、イオン化法：ＥＳＩ）にて測定する。或いは、検量線法によって作成された検量線に基づいてカチオン性抗菌剤の含有量を測定することもできる。
【００２７】
コアラップシート７には面内でほぼ均一な含有量で抗菌剤が含有され、上述のように、コアラップシート７は２枚重なって吸収性コア６を被覆する領域を有しているため、吸収体１０全体を厚み方向から見た平面視において、図２に示すように、吸収体１０の横方向Ｙにおける中央部６１にはコアラップシート７が３枚存在する領域があり、中央部６１を間に介してその両側に位置する側方部６２にはコアラップシート７が２枚存在する。
これにより、吸収体１０の中央部６１は、側方部６２と比較して抗菌剤の単位面積当たりの含有量が多く、抗菌効果が高い領域となっている。吸収体１０の中央部６１は着用者からの排泄物が多く吸収される領域となるため、吸収体１０の中央部６１を両側方部６２よりも抗菌剤の含有量を多くすることにより効果的に抗菌作用が発現する。
【００２８】
尚、本実施形態では、面内でほぼ均一な含有量で抗菌剤が含有されたコアラップシートを用いる例をあげたが、これに限定されない。例えば、面内で局所的に抗菌剤の含有量が多い領域を有するコアラップシートを用い、ナプキンとしたときに、局所的に抗菌剤の含有量が多い領域が横方向Ｙ中央部６１に位置するように設けてもよい。
【００２９】
（圧搾領域の構成）
図３に示すように、吸収体１０は、前端部１０ａ及び後端部１０ｂにそれぞれ形成された前方圧搾領域２及び後方圧搾領域４を有する。前方圧搾領域２及び後方圧搾領域４は、吸収体１０の横方向Ｙ中央部６１に配置され、吸収体１０の横方向Ｙの側端縁よりも横方向Ｙ内側に配置される。また、前方圧搾領域２及び後方圧搾領域４は、それぞれ、前方領域Ｍ１及び後方領域Ｍ３内のみに存在している。
前方圧搾領域２及び後方圧搾領域４は、いずれも、吸収性コア６がコアラップシート７で被覆された状態の吸収体１０全体を厚み方向Ｚに圧搾加工することによって形成され、
前方圧搾領域２及び後方圧搾領域４において吸収性コア６とコアラップシート７とは一体化している。前方圧搾領域２及び後方圧搾領域４は、他の圧搾加工されていない領域と比較して剛性が高く、変形しにくい部分となる。
【００３０】
前方圧搾領域２は、縦方向Ｘに延在し、互いに離間して位置する複数の圧搾溝３によって構成される。後方圧搾領域４は、縦方向Ｘに延在し、互いに離間して位置する複数の圧搾溝５によって構成される。圧搾溝３及び５は、吸収体１０の吸収性コア６及びコアラップシート７のみが一体に陥凹しており、表面シート１２は圧縮されていない。吸収体１０の肌対向面６ａ側を上方に、非肌対向面６ｂ側を下方に配置したとき、圧搾溝３及び５は、肌対向面６ａからＺ軸方向下方に向かって圧縮されているとともに、非肌対向面６ｂからもＺ軸方向上方に向かっても圧縮されている。
【００３１】
なお、ナプキン１では、吸収性コア６とコアラップシート７とが平面視同形であるので、前方圧搾領域２及び後方圧搾領域４は、それぞれコアラップシート７の前後端縁まで延びている。しかし、コアラップシート７の前後端縁７ａ，７ｂが吸収性コア６の前後端縁６ａ，６ｂよりも、それぞれナプキン１の前後端部方向に延びている場合には、前方圧搾領域２及び後方圧搾領域４は、各々、吸収性コア６の前端縁６ａ，後端縁６ｂまで延びていればよく、コアラップシート７の前後端縁７ａ，７ｂまで延びている必要はない。
【００３２】
圧搾溝３及び５は縦方向Ｘに延びる線状の溝であり、それぞれ、縦方向Ｙの側端縁から中間領域Ｍ２に向かって伸びている。
圧搾溝３及び５における「線状」は、溝の形状が平面視において直線状の態様に限られず、曲線状の態様を含む。圧搾溝３及び５における各線は、連続線でも破線でも良い。例えば、圧搾溝３及び５は、不連続な多数の凹部（例えば、点エンボス）が列をなして形成されていてもよい。
また、本実施形態においては、圧搾溝は縦方向Ｘに延びる線状の溝としたが、圧搾溝の形状はこれに限定されない。横方向Ｙに延びる線状の溝としてもよい。また、点状の圧搾溝がマトリクス状に配置されて圧搾領域を構成してもよい。
また、本実施形態においては、前方圧搾領域２（後方圧搾領域４）は、圧搾溝３（圧搾溝５）のように圧搾された部分と、離間して隣り合う圧搾溝３（圧搾溝５）間に位置する圧搾されていない部分とを有する。このように、圧搾領域２（圧搾領域４）を、圧搾されていない部分を有する構成としてもよいし、圧搾されている部分のみからなる構成としてもよい。
【００３３】
（防漏溝の構成）
吸収体１０及び表面シート１２には、表面シート１２側から厚み方向Ｚに圧搾加工することによって形成された第１の防漏溝１８及び第２の防漏溝１９が設けられている。第１の防漏溝１８及び第２の防漏溝１９は、表面シート１２及び吸収体１０が裏面シート１３側に向かって一体的に凹陥した構成を有する。
第１の防漏溝１８及び第２の防漏溝１９は、本体Ｍの周縁に形成された圧搾溝であり、他の圧搾されていない領域と比較して剛性が高く、変形しにくい部分となる。
第１の防漏溝１８及び第２の防漏溝１９における各線は、連続線でも破線でもよい。例えば、防漏溝は、不連続な多数の凹部（例えば、点エンボス）が列をなして形成されていてもよい。
【００３４】
図３及び図４に示すように、第１の防漏溝１８は、中間領域Ｍ２に位置する縦方向に延びる線状部分を介して、前方領域Ｍ１及び後方領域Ｍ３まで及ぶ、縦方向Ｘに延びる線状の防漏縦溝１８ａと、横方向Ｙに延びる防漏横溝１８ｂと、を有する。防漏縦溝１８ａと防漏横溝１８ｂとは連なって１つの略長円形状を形成するが、非連続であってもよい。
第２の防漏溝１９は、縦方向Ｘに延びる線状の防漏縦溝である。
【００３５】
防漏縦溝１８ａ及び第２の防漏溝１９において「線状に縦方向Ｘに延びる」とは、縦方向Ｘに平行な態様に限定されない。例えば、図４に示すように、平面視において、全体として縦方向Ｘに向かって延びている部分を「線状に縦方向Ｘに延びる」と表現でき、横方向Ｙの中心線に向かって延びる、防漏溝の左右一対の線分が１点で収束する場合、当該線分は後述する「横方向Ｙに延びる」防漏溝として、区別できる。なお、「線状に縦方向Ｘに延びる」防漏溝としては、横方向Ｙにおける長さｅが、縦方向Ｘの各領域（Ｍ１，Ｍ２及びＭ３）において、７ｍｍの縦方向Ｘに長手方向を有する仮想の矩形４１内に位置するように前方から後方に向かって延びる態様であることが好ましい。したがって、防漏縦溝１８ａ及び第２の防漏溝１９は、直線状であってもよいし、湾曲していてもよいし、蛇行していてもよい。
縦方向Ｘに延びる線状の防漏縦溝１８ａ、線状の第２の防漏溝１９は、排泄対向領域となる中間領域Ｍ２に位置する。
また、防漏横溝１８ｂにおいて「横方向Ｙに延びる」とは横方向Ｙに平行な態様に限定されず、横方向Ｙにおける一方の側方から他方の側方に向かって延びる態様を広く含むものとする。したがって、防漏横溝１８ｂは直線状であってもよいし、湾曲していてもよいし、蛇行していてもよい。防漏横溝１８ｂは、前方領域Ｍ１及び後方領域Ｍ３の幅方向Ｙ中央部に位置する。
【００３６】
第１の防漏溝１８及び第２の防漏溝１９は、熱を伴うか又は伴わない圧搾加工、あるいは超音波エンボス等のエンボス加工により常法に従って形成することができる。第１の防漏溝１８及び第２の防漏溝１９においては、表面シート１２及び吸収体１０が熱融着等により一体化している。
つまり、第１の防漏溝１８及び第２の防漏溝１９は、周囲の領域と比較して圧密化されている。これにより、第１の防漏溝１８及び第２の防漏溝１９は、毛細管現象によって圧密化された繊維間に液状の排泄物を引き込み、延在方向である縦方向Ｘに当該液を拡散させることで、横方向Ｙの液の漏れを防止する作用を有する。
【００３７】
図３に示すように、第１の防漏溝１８の一部を構成する線状の防漏縦溝１８ａは縦方向Ｘに延び、横方向Ｙに吸収体１０を二等分する中心線５５を間に介して一対位置する。防漏横溝１８ｂは中心線５５を跨いで横方向Ｙに延び、縦方向Ｘに沿って一対位置し、一方の防漏横溝１８ｂは前方領域Ｍ１に位置し、他方の防漏横溝１８ｂは後方領域Ｍ３に位置する。
線状の第２の防漏溝１９は縦方向Ｘに延びており、中心線５５を間に介して一対位置する。一対の第２の防漏溝１９は、横方向Ｙで第１の防漏溝１８を挟んでその両側に位置する。
【００３８】
上述のように、防漏縦溝１８ａは、剛性が高く変形しにくい部分である。このため、防漏縦溝１８ａは、ナプキン１が横方向Ｙから外力を受けた場合に好ましい変形となりやすい弾性変形の基点として機能する変形契機部となる。
同様に、線状の第２の防漏溝１９も、剛性が高く変形しにくい部分となるため、ナプキン１が横方向Ｙから外力を受けた場合に、好ましい変形となりやすい弾性変形の基点として機能する変形契機部となる。
このように、吸収体１０は複数の縦方向Ｘに延びる変形契機部としての防漏溝を有し、本実施形態においては中心線５５を間に介する二対の変形契機部としての防漏溝を有する。
中間領域Ｍ２において、二対の変形契機部のうち最も中心線５５に近く位置する一対の変形契機部である一対の防漏縦溝１８ａにより挟まれる領域は、吸収体１０の幅方向Ｙの中央部６１に位置する。この中央部６１は着用者からの排泄物が多く吸収される領域である。中央部６１は中心線５５を含む。
【００３９】
（圧搾領域と防漏溝との位置関係）
前方圧搾領域２を構成する圧搾溝３、後方圧搾領域４を構成する圧搾溝５、第１の防漏溝１８、第２の防漏溝１９、及び後述する第２の実施形態の防漏溝３８は、他の圧搾されていない領域と比較して剛性が高く、変形しにくい部分となる。
【００４０】
ナプキン１において、中間領域Ｍ２における、中心線５５に最も近く位置する一対の変形契機部である一対の防漏縦溝１８ａで挟まれた領域は、前方圧搾領域２及び後方圧搾領域と横方向Ｙに少なくとも一部が重なっている。
【００４１】
ナプキン１では、第１の防漏溝１８と、前方圧搾領域２（後方圧搾領域４）とは、平面視で重なり合っておらず、第１の防漏溝１８と前方圧搾領域２（後方圧搾領域４）とは、縦方向Ｘで離間して位置する。これにより、吸収体１０において、第１の防漏溝１８と前方圧搾領域２（後方圧搾領域４）との間には、これらの剛性よりも低い剛性の領域が存在する。
【００４２】
図３に示す吸収体１０の、中間領域Ｍ２において、中心線５５を介して両側にそれぞれ位置する変形契機部としての、縦方向Ｘに延びる防漏溝間の横方向Ｙの間隔が最も狭くなる最狭部の長さをＤ１とし、最も広くなる最広部の長さをＤ２とする。また、最狭部を規定する防漏溝の一部を通り縦方向Ｘに平行に延びる一対の仮想線５４を引く。本実施形態では、最狭部を規定する防漏溝は一対の防漏縦溝１８ａであり、最広部を規定する防漏溝は一対の第２の防漏溝１９である。一対の仮想線５４は、一対の防漏縦溝１８ａ間が最も狭くなる部分を通る。
図３に示すように、前方圧搾領域２及び後方圧搾領域４は、それぞれ、中心線５５を含む横方向Ｙ中央部６１に位置し、２つの仮想線５４の間に位置している。
【００４３】
上記のような前方圧搾領域２と後方圧搾領域４と、中間領域Ｍ２における一対の防漏縦溝１８ａとの位置関係となるようにナプキン１を構成することにより、着用時、着用者の排泄部が主に対向する領域となり排泄物を多く吸収する中間領域Ｍ２の横方向Ｙの中央部６１は、ナプキン１に外力が加わっても、ヨレ等の変形が生じにくくなる。
【００４４】
すなわち、変形契機部である線状の縦方向Ｘに延びる一対の防漏縦溝１８ａは、排泄部対向領域となる中間領域Ｍ２に位置している。中間領域Ｍ２が、着用時、着用者の両脚から横方向Ｙ内側に向かう外力を受けると、変形契機部のうち横方向Ｙの中心線５５に最も近く位置する一対の防漏縦溝１８ａ、１８ａに挟まれた中央部は、中間領域Ｍ２において吸収体１０の横方向Ｙの中央部６１が排泄部へ向かって突出するように変形が促されて、中央部６１が排泄部に密着し易くなる。このために、中央部６１では排泄物を多く吸収する領域を確保する機能を有する。
この際、中間領域Ｍ２の中央部６１が排泄部側へ突出することにより、吸収体１０の前方領域Ｍ１及び後方領域Ｍ３でも、着用者の肌側へ突出するような変形が誘起される。本発明では、吸収体１０の前端部１０ａ（後端部１０ｂ）の横方向Ｙ中央部に剛性の高い前方圧搾領域２（後方圧搾領域４）を設けることにより、その両端部１０ａ、１０ｂでは吸収体の変形が抑制されるので、吸収体１０の中間領域Ｍ２の中央部６１での上記突出形状が維持され易くなる。更に、前方圧搾領域２（後方圧搾領域４）の存在により、着用者の動作によって吸収体１０の前端部１０ａ（後端部１０ｂ）に外力が加わっても、前方圧搾領域２（後方圧搾領域４）は高剛性のため変形しにくくなっている。これにより、吸収体１０の前端部１０ａ（後端部１０ｂ）で生じた変形が中間領域Ｍ２に伝わって中間領域Ｍ２の横方向Ｙ中央部６１が変形するということが抑制される。
従って、一対の防漏縦溝１８ａ、前方圧搾領域２及び後方圧搾領域４を設けることにより、平面視で一対の防漏縦溝１８ａに挟まれ、かつ、前方圧搾領域２と後方圧搾領域４とによって挟まれる、排泄物が多く保持される中間領域Ｍ２の横方向Ｙ中央部６１の、排泄部へ向かう突出形状の変形が抑制される。これにより、吸収体１０の排泄物を吸収する領域を広い面積で確保することができ、液漏れを抑制するとともに、吸収体１０に含有されている抗菌剤と排泄物との接触機会の増加が促され、菌の繁殖が抑制され、悪臭成分の発生量を減少させることができる。
【００４５】
また、本実施形態では、一対の第２の防漏溝１９が一対の防漏縦溝１８ａよりも横方向Ｙ外側に位置しているので、着用時の横方向Ｙ内側に向かう外力が低減される。すなわち、中間領域Ｍ２において、横方向Ｙ内側に向かう外力は、吸収体１０の一対の第２の防漏溝１９の横方向Ｙ外側の圧搾されていない剛性の低い領域で低減され、更に第２の防漏溝１９と防漏縦溝１８ａとの間の圧搾されていない剛性の低い領域で低減されるので、中央部６１が受ける横方向の外力がより低減され、中央部６１の望ましくない変形が抑制される。
【００４６】
また、平面視で、前方に位置する防漏横溝１８ｂ（後方に位置する防漏横溝１８ｂ）と縦方向Ｘに離間して前方圧搾領域２（後方圧搾領域４）が位置することにより、吸収体１０の中間領域Ｍ２の中央部６１で吸収され、第１の防漏溝１８を伝って前方（後方）に広がる液状の排泄物が前方圧搾領域２（後方圧搾領域４）まで広がりにくい。更に、前方圧搾領域２（後方圧搾領域４）は、表面シート１２と一体化されていない領域であるため、圧搾されて表面シート１２が一体化している防漏横溝１８ｂを伝って広がる液が表面シート１２を介して前方圧搾領域２及び後方圧搾領域４まで広がりにくくなっており、前方（後方）での液漏れが抑制される。
【００４７】
また、中心線５５を跨いで横方向Ｙに延びる防漏横溝１８ｂが設けられることにより、中間領域Ｍ２における吸収体１０の中央部６１の変形がより抑制される。
すなわち、前方に位置する防漏横溝１８ｂ（後方に位置する防漏横溝１８ｂ）と前方圧搾領域２（後方圧搾領域４）との間には、防漏横溝及び圧搾領域よりも剛性の低い領域が存在する。これにより、着用時、吸収体１０の前方領域Ｍ１（後方領域Ｍ３）に縦方向Ｘ内側に向かう外力が吸収体１０に加わった場合、前方圧搾領域２（後方圧搾領域４）と前方に位置する防漏横溝１８ｂ（後方に位置する防漏横溝１８ｂ）との間の剛性の低い領域が先に変形し、吸収体１０の中間領域Ｍ２が受ける縦方向の外力がより低減され、中間領域Ｍ２における吸収体１０の中央部６１の変形が抑制される。
【００４８】
前方圧搾領域２及び後方圧搾領域４は、少なくとも横方向Ｙ中央部に位置すればよく、中間領域Ｍ２の横方向Ｙ中央部６１の変形が抑制される。
【００４９】
更に、前方圧搾領域２の横方向Ｙの長さａ及び後方圧搾領域４の横方向Ｙの長さｃは、排泄物を多く吸収する領域となる中間領域Ｍ２の横方向Ｘの中央部６１を規定する一対の防漏縦溝１８ａの最狭部の長さＤ１以上であることがより好ましい。
圧搾領域の横方向Ｙにおける長さをＤ１以上とすることにより、吸収体１０の前端部１０ａ及び後端部１０ｂにおいて、一対の仮想線５４間の横方向Ｙ全てに亘って圧搾領域が存在することになり、一対の仮想線５４間に位置する吸収体１０の中間領域Ｍ２の横方向Ｙ中央部６１の変形がより確実に抑制される。
【００５０】
また、前方圧搾領域２の横方向Ｙにおける長さａ及び後方圧搾領域４の横方向Ｙにおける長さｃは、横方向Ｙの最も外側に位置する一対の第２の防漏溝１９の最広部の長さＤ２以下であることがより好ましい。
前方圧搾領域２及び後方圧搾領域４の横方向Ｙにおける長さをＤ２以下とすることにより、着用時、着用者の両脚から横方向Ｙ内側に向かう外力が加わったときに第２の防漏溝１９を基点として吸収体１０が変形しやすくなり、中央部６１が受ける横方向の外力がより効率よく低減される。
また、前方圧搾領域２及び後方圧搾領域４の横方向Ｙにおける長さをＤ２以下とすることにより、前端部１０ａ及び後端部１０ｂにおいて、横方向Ｙの両側端部には圧搾領域が形成されない剛性の低い領域が存在することになり、着用時に着用者の体の形状に沿って変形しやすくなり、液漏れが抑制される。
【００５１】
このように、前方圧搾領域２及び後方圧搾領域４の横方向Ｙにおける長さをＤ１以上とすることが好ましく、更に、Ｄ２以下とすることがより好ましい。このような構成とすることにより、液漏れが抑制され、中間領域Ｍ２における吸収体１０の中央部６１の変形がより抑制されて、抗菌効果、防臭効果の高いナプキン１とすることができる。
【００５２】
また、前方圧搾領域２の縦方向Ｘにおける長さｂは、後方圧搾領域４の縦方向Ｘにおける長さｄよりも長くなっていることが好ましい。
一般に、ナプキン１の後方領域Ｍ３は、例えば着用者が座位の姿勢をとることにより臀部が変形するため、前方領域Ｍ１よりも、着用者の肌への追従性が求められる。本実施形態では、後方圧搾領域４の縦方向Ｘにおける長さを前方圧搾領域２の長さよりも短くすることにより後方領域Ｍ３において剛性の高い圧搾領域の面積を小さくし、後方領域Ｍ３の柔軟性を確保し、着用者の肌に沿うように変形しやすくすることができる。
【００５３】
（各構成の寸法実施例）
本実施形態において、ナプキン１の縦方向Ｘの長さは２２０ｍｍ、本体Ｍの横方向Ｙの長さは７３ｍｍである。
前方圧搾領域２の横方向Ｙにおける長さａは３５ｍｍ、縦方向Ｘにおける長さｂは１２．５ｍｍである。後方圧搾領域４の横方向Ｙにおける長さｃは３５ｍｍ、縦方向Ｘにおける長さｄは５ｍｍである。
中心線５５を間に介して位置する複数の変形契機部間の横方向Ｙにおける最狭部の長さ（本実施形態においては一対の防漏縦溝１８ａ間の横方向Ｙにおける最狭部の長さ）Ｄ１は３５ｍｍである。
中心線５５を間に介して位置する複数の変形契機部間の横方向Ｙにおける最広部の長さ（本実施形態においては一対の第２の防漏溝１９間の横方向Ｙにおける最広部の長さ）Ｄ２は５７ｍｍである。
ここでは、前方圧搾領域２の横方向Ｙの長さａ及び後方圧搾領域４の横方向Ｙの長さｃは最狭部の長さＤ１と同じとなっている。前方圧搾領域２の横方向Ｙの長さａ及び後方圧搾領域４の横方向Ｙの長さｃはＤ１以上であることが好ましい。また、Ｄ２以下であることが好ましい。
【００５４】
上記数値は一例であってこれらに限定されるものではない。
複数の縦方向Ｘに延びる変形契機部のうち中心線５５を介して位置する一対の変形契機部間の横方向Ｙの最狭部の長さ（本実施形態では防漏縦溝１８ａ間における最狭部の長さ）Ｄ１は、排泄部からの排泄物を効率よく吸収する面の確保の観点から、好ましくは２０ｍｍ以上、より好ましくは２５ｍｍ以上、そして好ましくは５５ｍｍ以下、より好ましくは５０ｍｍ以下である。
複数の縦方向Ｘに延びる変形契機部のうち中心線５５を介して位置する一対の変形契機部間の横方向Ｙの最広部の長さ（本実施形態では第２の防漏溝１９間における最広部の長さ）Ｄ２は、好ましくは２５ｍｍ以上、より好ましくは３０ｍｍ以上、そして好ましくは７０ｍｍ以下、より好ましくは６５ｍｍ以下である。
【００５５】
前方圧搾領域２及び後方圧搾領域４それぞれの横方向Ｙにおける長さは、長さＤ１に応じて適宜設定される。
例えば、前方圧搾領域２の横方向Ｙにおける長さａは、好ましくは１５ｍｍ以上、より好ましくは２０ｍｍ以上、そして好ましくは５５ｍｍ以下、より好ましくは５０ｍｍ以下である。
後方圧搾領域４の横方向Ｙにおける長さｃは、好ましくは１５ｍｍ以上、より好ましくは２０ｍｍ以上、そして好ましくは５５ｍｍ以下、より好ましくは５０ｍｍ以下である。
【００５６】
前方圧搾領域２及び後方圧搾領域４それぞれの縦方向Ｘにおける長さは、ナプキンの縦方向Ｙの長さ、防漏溝の位置等に応じて適宜設定される。
前方圧搾領域２の縦方向Ｘにおける長さｂは、好ましくは５ｍｍ以上、より好ましくは７ｍｍ以上、そして好ましくは２５ｍｍ以下、より好ましくは２０ｍｍ以下である。
後方圧搾領域４の縦方向Ｘにおける長さｄは、好ましくは２ｍｍ以上、より好ましくは５ｍｍ以上、そして好ましくは２０ｍｍ以下、より好ましくは１５ｍｍ以下である。
【００５７】
＜第２の実施形態＞
次に、第２の実施形態の吸収性物品について説明する。第１の実施形態と同様の構成については同様の符号を付し、説明を省略する場合がある。
本実施形態の吸収性物品は、第１の吸収性物品と比較して、吸収性コアの形状が異なる点で相違する。本実施形態の吸収性コアは、縦方向Ｘの中間領域Ｍ２に坪量の多い高坪量部を有している。この高坪量部の横方向Ｙにおける両側縁部が、ナプキン１が横方向Ｙから外力を受けた場合に好ましい変形となりやすい弾性変形の基点として機能する変形契機部となっている。
【００５８】
［ナプキンの全体構成］
本発明の第２実施形態の吸収性物品としてのナプキン３１は、図５に示すように、本体Ｍと、一対のウイング部Ｗと、を備える。
図５に示すように、ナプキン３１は、縦方向に順に位置する前方領域Ｍ１と、中間領域Ｍ２と、後方領域Ｍ３とを有する。防漏溝３８は、本体Ｍの後述する表面シート１２側に形成された圧搾溝である。防漏溝３８の構成については、後述する。
図６に示すように、ナプキン３１は、吸収体３０と、表面シート１２と、裏面シート１３と、一対のサイドシート１４と、粘着部１５と、を備える。
【００５９】
［吸収体の構成］
吸収体３０は、縦方向Ｘに沿って延び、表面シート１２と裏面シート１３との間に配置される。吸収体３０は、液状の排泄物を表面シート１２側の面から吸収し、内部で拡散させて当該排泄物を保持する。
図６に示すように、吸収体３０は、吸収性コア２０と、コアラップシート７と、を有する。吸収体３０には抗菌剤が含有されている。抗菌剤は、吸収性コア２０とコアラップシート７の少なくとも一方に含有される。
【００６０】
（吸収性コア）
図７に示すように、吸収性コア２０は、前方コア部２１と、中間コア部２２と、後方コア部２３と、を有する。前方コア部２１、中間コア部２２及び後方コア部２３は、縦方向Ｘに沿って並んでいる。中間コア部２２は、着用者の排泄部に対向する領域であり、前方コア部２１及び後方コア部２３は、着用者の排泄部の前方及び後方にそれぞれ対向する部分である。中間コア部２２は中間領域Ｍ２にほぼ対応する。吸収性コア２０は、横方向Ｙにおいて左右対称な平面形状を有する。
【００６１】
図７に示すように、吸収性コア２０は、縦方向Ｘに沿って延びる複数の縦溝部２５及び横方向Ｙに沿って延びる複数の横溝部２６を有する。吸収性コア２０は、複数の縦溝部２５及び複数の横溝部２６により、複数のブロック部２７に分割されている。
縦溝部２５及び横溝部２６は、ブロック部２７よりも低い坪量を有し、ブロック部２７の上面から厚み方向Ｚ下方に向かって形成された溝で構成される。つまり、縦溝部２５及び横溝部２６は、ブロック部２７よりも剛性が低い領域となる。これにより、ナプキン３１に外力が付加された場合に、吸収性コア２０が縦溝部２５及び横溝部２６で変形しやすくなり、縦方向Ｘ及び横方向Ｙのいずれの方向の外力に対しても柔軟に構成される。
【００６２】
ブロック部２７は、高坪量ブロック部２７Ａと、低坪量ブロック部２７Ｂを有する。高坪量ブロック部２７Ａは低坪量ブロック部２７Ｂよりも坪量の高いブロック部である。高坪量ブロック部２７Ａは低坪量ブロック部２７Ｂよりも厚み方向Ｚに厚く構成される。図７では、高坪量ブロック部２７Ａをドットで示し、低坪量ブロック部２７Ｂを無地で示している。
【００６３】
複数の高坪量ブロック部２７Ａと、隣り合う高坪量ブロック部２７間に位置する縦溝部２５及び横溝部２６とが位置する領域を高坪量部２４と称する。高坪量部２４は、中間コア部２２の横方向Ｙ中央部６１に位置する。高坪量部２４は、縦方向Ｘに延び、例えば前後端縁部が縦方向Ｘに向かって凸な曲線状に構成される。
【００６４】
長円形状の高坪量部２４は、線状に縦方向Ｘに延びる一対の側縁部２４ａと、横方向Ｙに延びる前端縁部２４ｂ及び後端縁部２４ｃを有する。前端縁部２４ｂは前方側に位置し、後端縁部２４ｃは後方側に位置する。
ここで、横方向Ｙにおける「側縁部」、縦方向Ｘにおける「端縁部」は、高坪量部２４と低坪量部２８との境界部分を指す。
高坪量部２４の側縁部２４ａにおいて「縦方向Ｘに線状に延びる」とは、縦方向Ｘに平行な態様に限定されず、図７に示すように、平面視において横方向Ｙにおける長さｅが７ｍｍの縦方向Ｘに長手方向を有する仮想の矩形４３内に位置するように前方から後方に向かって延びる態様を含むものとする。従って、側縁部２４ａは、直線状であってもよいし、湾曲していてもよいし、蛇行していてもよい。
図７に示す例では、高坪量部２４の縦方向Ｘに線状に延びる側縁部２４ａは、縦方向Ｘに平行に延びる直線状部と、その直線状部の両端に繋がる曲線状部とからなる。
【００６５】
縦方向Ｘに線状に延びる側縁部２４ａは、横方向Ｙに吸収体３０を二等分する中心線５５を間に介して一対位置する。前端縁部２４ｂ及び後端縁部２４ｃは、それぞれ中心線５５を跨いで横方向Ｙに延び、縦方向Ｘに沿って位置する。
【００６６】
複数の低坪量ブロック部２７Ｂと各低坪量ブロック部２７Ｂの周囲に位置する縦溝部２５及び横溝部２６とが形成される領域を低坪量部２８と称する。低坪量部２８は、中間コア部２２の横方向Ｙにおける両側方部６２、前方コア部２１及び後方コア部２３に位置する。
【００６７】
図６に示す例では、高坪量部２４が低坪量部２８よりも表面シート１２側に突出している。尚、高坪量部２４が、裏面シート１３側に突出した構成としてもよい。
【００６８】
吸収性コア２０の中間コア部２２の横方向Ｙ中央部６１に高坪量部２４を設けることで、中間コア部２２の排泄部に対するフィット性及び排泄物の吸収性を向上させることができる。
また、高坪量部２４の周囲の低坪量部２８は、高坪量部２４よりも剛性の低い領域となる。この剛性差により、中間コア部２２において、縦方向Ｘに延びる一対の線状の側縁部２４ａを含む側縁部２４ａ付近は、横方向Ｙの外力が加わったときに基点となって変形しやすくなっている。特に、本実施形態では、縦溝部２５は、高坪量ブロック部２７Ａ及び低坪量ブロック部２７Ｂよりも坪量の低い領域であるため、高坪量部２４を囲む縦溝部２５が変形起点となって変形しやすくなっている。このように一対の側縁部２４ａを含む側縁部２４ａ付近は、変形契機部となっている。
【００６９】
本実施形態のナプキン３１では、一対のウイング部Ｗは、中間コア部２２を挟んで横方向Ｙに互いに対向して配されている。
ナプキン３１の着用時、中間領域Ｍ２に位置するウイング部Ｗを折り曲げ下着の外面に固定した場合、高坪量部２４と低坪量部２８との剛性差によって、高坪量部２４が着用者の排泄部側へと起立しやすくなる。これにより、中間コア部２２が装着者の排泄部付近にフィットしやすくなり、ナプキン３１と肌との隙間が減少し、液漏れを抑制することができる。
【００７０】
図６に示すように、吸収体３０において、コアラップシート７と吸収性コア２０とは、前方圧搾領域２、後方圧搾領域４及び防漏溝３８の部分で圧搾されて一体化されているが、それ以外の領域では一体化されておらず、コアラップシート７は縦溝２５及び横溝２６に追従していない形状をとる。
これにより表面シート１２、コアラップシート７を介して吸収性コア２０に吸収され、縦溝２５及び横溝２６を伝って縦方向及び横方向に広がる排泄物が、着用者の肌側に位置する表面シート１２に戻りにくくなり、不快感を軽減させることができる。
【００７１】
（圧搾領域）
図８に示すように、吸収体３０は、縦方向Ｘにおける前端部３０ａに前方圧搾領域２と、後端部３０ｂに後方圧搾領域４を有する。第１の実施形態と同様に、前方圧搾領域２及び後方圧搾領域４は、いずれも、吸収性コア２０がコアラップシート７で被覆された状態の吸収体３０全体を厚み方向Ｚに圧搾加工することによって形成され、他の圧搾加工されていない領域と比較して剛性が高く、変形しにくい部分となる。
【００７２】
（防漏溝）
吸収体３０及び表面シート１２には、表面シート１２側から厚み方向Ｚに圧搾加工することによって形成された防漏溝３８が設けられている。防漏溝３８は、表面シート１２及び吸収性コア２０が裏面シート１３側に向かって一体的に凹陥した構成を有する。防漏溝３８は、本体Ｍの周縁に形成された圧搾溝であり、他の圧搾されていない領域と比較して剛性が高く、変形しにくい部分となる。
【００７３】
図８に示すように、防漏溝３８は、縦方向Ｘに延びる線状の防漏縦溝３８ａと、横方向Ｙに延びる防漏横溝３８ｂと、を有する。防漏縦溝３８ａと防漏横溝３８ｂとは、連なって１つの略長円形状を形成するが、非連続であってもよい。防漏溝３８は、高坪量部２４を囲むように吸収体３０の周縁に沿って位置する。
本実施形態においても、第１の実施形態と同様に、防漏縦溝３８ａにおいて「線状に縦方向Ｘに延びる」とは、縦方向Ｘに平行な態様に限定されず、横方向Ｙにおける長さが４ｍｍの縦方向Ｘに長手方向を有する仮想の矩形４４内に位置するように前方から後方に向かって延びる態様を広く含むものとする。
【００７４】
図８に示すように、防漏縦溝３８ａは線状に縦方向Ｘに延び、横方向Ｙに吸収体３０を二等分する中心線５５を間に介して一対位置する。防漏横溝３８ｂは中心線５５を跨いで横方向Ｙに延び、縦方向Ｘに沿って一対位置し、一方の防漏横溝３８ｂは前方側に位置し、他方の防漏横溝３８ｂは後方側に位置する。
【００７５】
防漏溝３８は、剛性が高く変形しにくい部分である。このため、線状の防漏縦溝３８ａは、ナプキン３１が横方向Ｙから外力を受けた場合に好ましい変形となりやすい弾性変形の基点として機能する変形契機部となる。
【００７６】
（圧搾領域、高坪量部、及び防漏溝の位置関係）
図８に示すように、防漏溝３８は、高坪量部２４を囲むように位置し、両者は平面視で重なりあっていない。吸収体３０において、前方圧搾領域２、後方圧搾領域４、防漏溝３８は、他の圧搾されていない領域と比較して剛性が高く、変形しにくい部分である。
排泄対向領域となる中間領域Ｍ２には、変形契機部となる縦方向Ｘに延びる線状の防漏縦溝３８ａと、同様に変形契機部となる高坪量部２４の一対の側縁部２４ａが位置する。
このように、本実施形態のナプキン３１は、中心線５５を間に介して位置する二対の変形契機部を有する。
【００７７】
高坪量部２４と前方圧搾領域２（後方圧搾領域４）とは、平面視で重なり合っておらず、高坪量部２４と前方圧搾領域２（後方圧搾領域４）とは、縦方向Ｘで離間して位置する。
前方の防漏横溝３８ｂ（後方の防漏横溝３８ｂ）と前方圧搾領域２（後方圧搾領域４）とは、平面視で重なり合っておらず、前方の防漏横溝３８ｂ（後方の防漏横溝３８ｂ）と前方圧搾領域２（後方圧搾領域４）とは、縦方向Ｘで離間して位置する。これにより、吸収体３０において、前方の防漏横溝３８ｂ（後方の防漏横溝３８ｂ）と前方圧搾領域２（後方圧搾領域４）との間には、これらよりも低い剛性の領域が存在する。
【００７８】
図８において、中心線５５を介して両側にすぐ位置する一対の変形契機部としての高坪量部２４の一対の側縁部２４ａ間の間隔が最も広くなる最広部の長さをＤ３とする。この最広部を規定する一対の側縁部２４ａの一部を通り縦方向Ｘに延びる一対の仮想線５４を引く。また、中心線５５を介して最も外側に位置する一対の変形契機部としての防漏縦溝３８ａ間の間隔が最も広くなる最広部の長さをＤ４とする。
図８に示すように、前方圧搾領域２（後方圧搾領域４）は、前端部３０ａ（後端部３０ｂ）の横方向Ｙ中央部６１に位置し、２つの仮想線５４の間に位置している。
【００７９】
上記のような前方圧搾領域２と後方圧搾領域４と一対の側縁部２４ａとの位置関係となるようにナプキン３１を構成することにより、着用時、着用者の排泄部が主に対向する領域となり排泄物を多く吸収する中間領域Ｍ２の横方向Ｙの中央部６１は、ナプキン３１に外力が加わっても、ヨレ等の変形が生じにくくなる。
【００８０】
すなわち、線状の縦方向Ｘに延びる一対の側縁部２４ａは、排泄部対向領域となる中間領域Ｍ２に位置している。中間領域Ｍ２は、着用時、着用者の両脚から横方向Ｙ内側に向かう外力を受けると、高坪量部２４よりも剛性の低い低坪量部２８が先に変形し、中央部６１に位置する高坪量部２４が受ける横方向の外力が低減される。また、低坪量部２８の変形によって、高坪量部２４は排泄部側へ密着するように移動するようになる。これにより、高坪量部２４は排泄部へ突出した形状を維持され易くなるとともに、その変形が抑制される。このように、複数の変形契機部のうち横方向Ｙの中心線５５に最も近く位置する一対の側縁部２４ａは、中間領域Ｍ２において吸収体３０の横方向Ｙの中央部６１の変形を抑制し、排泄物を多く吸収する領域を確保する機能を有する。
これに加え、第１の実施形態と同様に、高坪量部２４の排泄部側への突出に伴う前後端部３０ａ、３０ｂの同方向への突出が抑制されるので、高坪量部の形状が安定する。更に、着用者の動作によって吸収体３０の前方領域Ｍ１（後方領域Ｍ３）に外力が加わっても、前方圧搾領域２（後方圧搾領域４）は高剛性のため変形しにくい。これにより、吸収体３０の前端部３０ａ（後端部３０ｂ）で生じた変形が中間領域Ｍ２に伝わって中間領域Ｍ２の横方向Ｙ中央部６１が変形するということが更に抑制される。
従って、一対の側縁部２４ａ、前方圧搾領域２及び後方圧搾領域４を設けることにより、平面視で一対の側縁部２４ａに挟まれ、かつ、前方圧搾領域２と後方圧搾領域４とによって挟まれる、排泄物が多く保持される中間領域Ｍ２の横方向Ｙ中央部６１の変形が抑制される。これにより、吸収体３０の排泄物を吸収する領域を広い面積で確保することができ、液漏れが抑制されるとともに、吸収体３０に含有されている抗菌剤と排泄物との接触機会の増加が促され、菌の繁殖が抑制され、悪臭成分の発生量を減少させることができる。
【００８１】
また、上述したとおり、高坪量部２４を設けることにより、ウイング部Ｗを折り曲げ下着の外面に固定した場合、高坪量部２４が着用者の排泄部側へと起立しやすくなる。本実施形態では、前方圧搾領域２及び後方圧搾領域４を設けることにより、これらの圧搾領域の高剛性により吸収体３０の前方部及び後方部が変形しにくくなるので、下着にナプキン３１を装着する際、必要以上にウイングＷが折り曲げられて下着に装着されることが抑制される。これにより、排泄物を吸収する領域を広い面積で確保することができ、吸収体３０に含有されている抗菌剤と排泄物との接触機会の増加が促され、抗菌効果による防臭効果が向上する。
【００８２】
また、吸収体３０において、高坪量部２４の前端縁部２４ｂ（後端縁部２４ｃ）よりも前方（後方）は、高坪量部２４よりも剛性の低い低坪量部２８が位置する。これにより、着用者の動作によって吸収体３０に加わる縦方向Ｘ内側に向かう外力は低坪量部２８で吸収され、高坪量部２４が受ける外力が低減される。これにより、中間領域Ｍ２における吸収体３０の中央部６１に位置する高坪量部２４の変形が更に抑制される。
【００８３】
更に、本実施形態においては、高坪量部２４の横方向Ｙの外側に、高坪量部２４を間に介して一対の防漏縦溝３８ａが設けられることにより、更に高坪量部２４の変形が更に抑制される。
すなわち、吸収体３０の中間コア部２２において、横方向Ｙの側縁部と防漏縦溝３８ａとの間に、防漏縦溝３８ａよりも低剛性の領域が存在することになる。加えて、防漏縦溝３８ａと高坪量部２４との間に、防漏縦溝３８ａ及び高坪量部２４よりも低剛性の領域が存在することになる。従って、横方向Ｙ内側に向かう外力はこれらの低剛性の領域で段階的に低減され、高坪量部２４の変形が更に抑制される。
【００８４】
更に、本実施形態においては、吸収体３０において、前方圧搾領域２（後方圧搾領域４）と高坪量部２４との間に防漏横溝３８ｂが位置し、前方圧搾領域２（後方圧搾領域４）と防漏横溝３８ｂとは平面視で重なっていない。
これにより、前方圧搾領域２（後方圧搾領域４）と防漏横溝３８ｂとの間に、前方圧搾領域２（後方圧搾領域４）及び防漏横溝３８ｂよりも低剛性の領域が存在することになる。加えて、防漏横溝３８ｂと高坪量部２４との間に、防漏横溝３８ｂ及び高坪量部２４よりも低剛性の領域が存在することになる。従って、縦方向Ｘ内側に向かう外力はこれらの低剛性の領域で低減され、高坪量部２４の変形が更に抑制される。
【００８５】
また、平面視で、前方に位置する防漏横溝３８ｂ（後方に位置する防漏横溝３８ｂ）と縦方向Ｘに離間して前方圧搾領域２（後方圧搾領域４）が位置することにより、吸収体３０の中間領域Ｍ２の中央部６１で吸収され、防漏溝３８を伝って前方（後方）に広がる液状の排泄物が前方圧搾領域２（後方圧搾領域４）まで広がりにくい。更に、前方圧搾領域２（後方圧搾領域４）は、表面シート１２と一体化されていない領域であるため、圧搾されて表面シート１２が一体化している防漏横溝３８ｂを伝って広がる液が表面シート１２を介して前方圧搾領域２及び後方圧搾領域４まで広がりにくくなっており、前方（後方）での液漏れが抑制される。
【００８６】
前方圧搾領域２の横方向Ｙにおける長さａ及び後方圧搾領域４の横方向Ｙにおける長さｃは、高坪量部２４の横方向Ｙにおける最広部の長さＤ３以上であることがより好ましい。
圧搾領域の横方向Ｙにおける長さをＤ３以上とすることにより、吸収体３０の前端部３０ａ及び後端部３０ｂにおいて、一対の仮想線５４間の横方向Ｙ全てに亘って圧搾領域が存在することになり、一対の仮想線５４間に位置する吸収体３０の中間領域Ｍ２の横方向Ｙ中央部６１の変形がより確実に抑制される。
更に、圧搾領域の横方向Ｙにおける長さをＤ３以上とすることにより、下着にウイング部Ｗを有するナプキン３１を装着する際、必要以上にウイングＷが折り曲げられて下着に装着されることがより抑制され、吸収体３０の中間領域Ｍ２の中央部６１の変形がより抑制される。
【００８７】
また、前方圧搾領域２及び後方圧搾領域４の横方向Ｙにおける長さを、一対の防漏縦溝３８ａの横方向Ｙにおける最広部の長さＤ４以下とすることがより好ましい。これにより、着用時、着用者の両脚から横方向Ｙ内側に向かう外力が加わったときに一対の防漏縦溝３８ａを基点として吸収体３０が変形しやすくなり、中央部６１に位置する高坪量部２４が受ける横方向の外力がより効率よく低減される。
また、前方圧搾領域２及び後方圧搾領域４の横方向Ｙにおける長さをＤ４以下とすることにより、前端部１０ａ及び後端部１０ｂにおいて、横方向Ｙの両側端部には圧搾領域が形成されない剛性の低い領域が存在することになり、着用時に着用者の体の形状に沿って変形しやすくなり、液漏れが抑制される。
【００８８】
また、本実施形態においても、第１の実施形態と同様に、前方圧搾領域２の縦方向Ｘにおける長さｂは、後方圧搾領域４の縦方向Ｘにおける長さｄよりも長くなっている。これにより、後方領域Ｍ３の柔軟性を確保し、着用者の肌に沿うように変形しやすくすることができる。
【００８９】
また、本実施形態において、平面視で、前方圧搾領域２及び後方圧搾領域４は、吸収性コア２０の横溝２５と重なっていない。これにより、吸収体３０の柔軟性が確保され、吸収体３０は着用者の肌に沿うように変形しやすくなる。
【００９０】
（各構成の寸法実施例）
本実施形態において、ナプキン３１の縦方向Ｘの長さは２５０ｍｍ、本体Ｍの横方向Ｙの長さは７３ｍｍである。
前方圧搾領域２の横方向Ｙにおける長さａは３５ｍｍ、縦方向Ｘにおける長さｂは１２．５ｍｍである。後方圧搾領域４の横方向Ｙにおける長さｃは３５ｍｍ、縦方向Ｘにおける長さｄは５ｍｍである。
中心線５５を間に介して中心線５５に最も近く位置する一対の変形契機部間（第２の実施形態においては一対の側縁部２４ａ間）の横方向Ｙにおける最広部の長さＤ３は３５ｍｍである。
ここでは、前方圧搾領域２の横方向Ｙの長さａ及び後方圧搾領域４の横方向Ｙの長さｃは、最広部の長さＤ３と同じとなっている。前方圧搾領域２の横方向Ｙの長さａ及び後方圧搾領域４の横方向Ｙの長さｃはＤ３以上であることが好ましい。
【００９１】
上記数値は一例であってこれらに限定されるものではない。
中心線５５を介して縦方向Ｘに線状に延びる複数の変形契機部のうち中心線５５に最も近く位置する一対の変形契機部である高坪量部２４の一対の側縁部２４ａの横方向Ｙの最広部の長さＤ３は、排泄部からの排泄物を効率よく吸収する面の確保の観点から、好ましくは２５ｍｍ以上、より好ましくは３０ｍｍ以上、そして好ましくは５０ｍｍ以下、より好ましくは４５ｍｍ以下である。
中心線５５を介して縦方向Ｘに線状に延びる複数の変形契機部のうち中心線５５に最も遠く位置する一対の変形契機部である一対の防漏縦溝３８ａ間の横方向Ｙの最広部の長さＤ４は、好ましくは３０ｍｍ以上、より好ましくは３５ｍｍ以上、そして好ましくは７０ｍｍ以下、より好ましくは６５ｍｍ以下である。
【００９２】
前方圧搾領域２及び後方圧搾領域４それぞれの横方向Ｙにおける長さは、高坪量部２４の横方向Ｙの長さＤ３に応じて適宜設定される。
例えば、前方圧搾領域２の横方向Ｙにおける長さａは、好ましくは１５ｍｍ以上、より好ましくは２０ｍｍ以上、そして好ましくは５５ｍｍ以下、より好ましくは５０ｍｍ以下である。
後方圧搾領域４の横方向Ｙにおける長さｃは、好ましくは１５ｍｍ以上、より好ましくは２０ｍｍ以上、そして好ましくは５５ｍｍ以下、より好ましくは５０ｍｍ以下である。
【００９３】
前方圧搾領域２及び後方圧搾領域４それぞれの縦方向Ｘにおける長さは、ナプキンの縦方向Ｙの長さ、防漏溝の位置等に応じて適宜設定される。
前方圧搾領域２の縦方向Ｘにおける長さｂは、好ましくは５ｍｍ以上、より好ましくは７ｍｍ以上、そして好ましくは２５ｍｍ以下、より好ましくは２０ｍｍ以下である。
後方圧搾領域４の縦方向Ｘにおける長さｄは、好ましくは２ｍｍ以上、より好ましくは５ｍｍ以上、そして好ましくは２０ｍｍ以下、より好ましくは１５ｍｍ以下である。
【００９４】
＜その他の構成例＞
上述の各実施形態において、コアラップシート７は着色されていてもよい。
また、上述の各実施形態において、コアラップシート７には抗菌剤に加えて消臭剤や香料が含まれていても良い。消臭剤及び香料は、コアラップシート７全面に配置されていてもよいし、コアラップシート７の一部に配置されていてもよい。また、消臭剤や香料は、コアラップシート７のみに含まれていてもよいし、吸収性コア６、２０のみに含まれていてもよいし、コアラップシート７及び吸収性コア６、２０の双方に含まれていても良い。
【００９５】
消臭剤としては、それ自体が臭気に直接作用して、即ち臭気を吸着、中和、分解等して、消臭効果を発現し得る物質であり、当該技術分野においても消臭用途に汎用されているものを用いることができるが、臭気に対する広い消臭スペクトルを有する点から、多孔性の消臭粒体が好ましい。多孔性の消臭粒体としては、無機消臭粒体や、有機消臭粒体などがある。無機消臭粒体とは無機化合物を主体とする消臭粒体、即ち消臭粒体の骨格となる化合物が無機化合物である消臭粒体のことである。有機消臭粒体とは有機化合物を主体とする消臭粒体、即ち消臭粒体の骨格となる化合物が有機化合物である消臭粒体のことである。
このように、抗菌剤に加え消臭剤を用いることにより、更に悪臭の発生を抑制することができる。
【００９６】
好ましい無機消臭粒体としては、カンクリナイト様鉱物、ゼオライト、モンモリロナイト、活性炭等が挙げられる。これらの中でも極性を有している多孔性消臭粒体が水溶性の臭い原因物質の消臭に適しているので好ましく、更には、カンクリナイト様鉱物とゼオライトが広い消臭スペクトルを有する点から好ましい。なお、活性炭は非極性に属するので、有機性の臭い成分の消臭に有効であり、例えば、椰子殻炭、木炭、暦青炭、泥炭、亜炭等が挙げられる。ただし、有機性の香料成分が吸着されて臭いが変質することを防止する観点から、活性炭は含まれないことが好ましい。
好ましい有機消臭粒体としては、架橋性ビニルモノマー及びヘテロ芳香環を有するビニルモノマーを含むモノマー成分を共重合して得られる粒子が挙げられる。
【００９７】
香料を用いることにより排泄された液由来の匂いが香料によってマスキングされて外部へ放出され、液由来の匂いが認識されにくくなり、不快感を軽減できる。
【００９８】
香料として用いられる高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００９９】
香料として用いられる中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【０１００】
香料として、上述の高揮発性及び中揮発性香料成分以外に、あるいはこれら香料成分に加えてさらに、バラ香調、ラベンダー香調、ジャスミン香調、イランイラン香調を有する香料を含有した香料組成物を用いることもできる。このような香料組成物としては、例えば、ネロール、ラバンジュロール、ジャスマール、シクロピデン等が挙げられ、これらの１種を単独で又は２種以上を組み合わせて用いることができる。香料には、上述した香料素材単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【０１０１】
本発明は上述の実施形態にのみ限定されるものではなく種々変更を加え得ることは勿論である。
例えば、上述の実施形態においては、前方圧搾領域２及び後方圧搾領域４の双方を設ける例をあげたが、いずれか一方を設ける形態であってもよく、圧搾領域を設けない場合と比較して吸収体の変形が抑制される。
また、上述の実施形態においては、前方圧搾領域２及び後方圧搾領域４の平面形状が略矩形であるが、この形状に限定されず、吸収体の中心線５５を含む横方向Ｙ中央部６１に圧搾領域が位置すればよい。
また、上述の各実施形態においては、ウイング部を備えるナプキンを例にあげて説明したが、ウイング部を有さないナプキンに適用してもよく、同様に、圧搾領域を設けることにより吸収体の変形が抑制され、抗菌効果を向上させることができる。
【０１０２】
また、第１の実施形態において、一対の防漏縦溝１８ａ及び一対の第２の防漏溝１９によって４つの変形契機部が構成される例をあげたが、これに限定されず、中心線５５を介して位置する縦方向Ｘに線状に延びる一対の防漏溝によって２つの変形契機部を構成してもよい。
この場合、一対の防漏溝が上述の防漏縦溝１８ａのように緩やかに蛇行する形状を有するときは、横方向Ｙで最も防漏溝間の間隔が最も広くなる最広部の長さがＤ２となり、最も狭くなる最狭部の長さがＤ１となる。つまり、一対の防漏溝によってＤ１とＤ２の値が規定される。これに対して、第１の実施形態では、二対の防漏溝によってＤ１とＤ２の値が規定される。
【０１０３】
また、第２の実施形態において、一対の防漏縦溝３８ａと、高坪量部２４の一対の側縁部２４ａによって４つの変形契機部が構成される例をあげたが、これに限定されない。例えば、防漏溝を設けず、高坪量部２４の一対の両側縁部２４ａによって縦方向Ｘに線状に延びる２つの変形契機部が構成される構成としてもよい。
【０１０４】
また、変形契機部は折り畳み線であってもよい。
一般に吸収性物品は外装シートが配置された状態で折り畳まれて包装可能となっている。例えば、幅方向に三つ折り、更に前後方向に二つ折り又は三つ折りされて包装されてもよい。幅方向に三つ折りされて包装される場合、包装過程で折り畳みによって形成される折り畳み線は、ナプキンを広げた状態で縦方向に線状に延びる形状を有する。このような折り畳み線は、着用時、横方向Ｙの外力に対して吸収体が変形する基点となる変形契機部となる。
【符号の説明】
【０１０５】
１、３１…ナプキン（吸収性物品）
２…前方圧搾領域（圧搾領域）
４…後方圧搾領域（圧搾領域）
１０、３０…吸収体
１０ａ、３０ａ…前端部
１０ｂ、３０ｂ…後端部
１２…表面シート
１３…裏面シート
１８ａ…防漏縦溝（変形契機部）
１９…第２の防漏溝（変形契機部）
２４ａ…高坪量部の側縁部（変形契機部）
５５…中心線
Ｍ２…中間領域
【図１】
2020188934.tif 000003
【図２】
2020188934.tif 000004
【図３】
2020188934.tif 000005
【図４】
2020188934.tif 000006
【図５】
2020188934.tif 000007
【図６】
2020188934.tif 000008
【図７】
2020188934.tif 000009
【図８】
2020188934.tif 000010